(57)【要約】【課題】入賞空間に流入した遊技球の動作を予測困難にして、遊技に対する興趣を持続させ得る遊技機の入賞装置を提供する。【解決手段】入賞空間２３でかつ該入賞空間２３の底面をなす傾斜面２４の上方に、入賞空間２３に流入したパチンコ球Ｂを一時的に受止めて転動させ得る転動面３４を有する球受け部材３１を配設すると共に、転動面３４に、落下するパチンコ球Ｂを特別領域２５へ案内する第１領域３６、および第１領域３６とは異なる第２領域３７を設ける。更に、異なる方向に延在する第１および第２支軸を介して球受け部材３１を揺動自在に支持する伝達手段を設け、伝達手段をモータにより駆動することで転動面３４を多方向に亘り傾斜させ、該転動面３４を転動するパチンコ球Ｂをその傾斜方向に応じて第１領域３６または第２領域３７から落下させるよう構成した。【選択図】図３
2006102056.tif 000002
【特許請求の範囲】
【請求項１】
遊技球が通過可能な球入口と、前記球入口を介して遊技球が流入する入賞空間と、前記入賞空間の底面をなし、所要の傾斜角度で形成される傾斜面と、前記傾斜面の下流側に形成される特別領域および一般領域とを備え、前記入賞空間に流入した遊技球が前記特別領域を通過することで、遊技者に有利な特別遊技を発生させるよう構成された遊技機の入賞装置において、
前記入賞空間内でかつ前記傾斜面の上方に配置され、該入賞空間に流入した遊技球を一時的に受止めて転動させ得る転動面を有する球受け部材と、
前記転動面に形成されて該転動面を転動する遊技球が落下可能で、落下する遊技球を前記特別領域へ案内する第１領域と、
前記転動面に形成され、該転動面を転動する遊技球が落下可能な前記第１領域とは異なる第２領域と、
所要の駆動手段に連結され、異なる方向に延在する複数の支軸を介して前記球受け部材を揺動自在に支持する伝達手段とを備え、
前記伝達手段を駆動手段により駆動することで前記転動面が多方向に亘り傾斜し、該転動面を転動する遊技球がその傾斜方向に応じて前記第１領域または第２領域から落下するよう構成した
ことを特徴とする遊技機の入賞装置。
【請求項２】
前記球受け部材における前記傾斜面の下流側に位置する端部に、前記転動面からの遊技球の落下を規制する規制部を形成し、該転動面上の遊技球が、前記特別領域または一般領域に直接落下するのを防止した請求項１記載の遊技機の入賞装置。
【請求項３】
前記第１領域を前記転動面の左右方向における略中央位置に形成すると共に、該転動面に第１領域に向けて案内する球案内部を形成した請求項１または２記載の遊技機の入賞装置。
【請求項４】
前記転動面から落下した遊技球が当接し得る経路変更部材を、前後移動可能に設けた請求項１〜３の何れかに記載の遊技機の入賞装置。
【発明の詳細な説明】
【技術分野】
【０００１】
本発明は、遊技機の入賞装置に関し、更に詳細には、球入口を介して入賞空間に流入した遊技球が特別領域を通過することで、遊技者にとって有利な特別遊技が発生する遊技機の入賞装置に関するものである。
【背景技術】
【０００２】
一般に、「羽根モノ」や「ヒコーキタイプ」と称されるパチンコ機は、パチンコ球(遊技球)が通入する左右の球入口を所定条件で開閉する羽根状や扉状等の開閉部材と、種々の遊技部品が配置されて球入口から流入するパチンコ球に多彩な動きを付与する入賞空間と、該入賞空間に流入したパチンコ球が最終的に通過する特別領域および一般領域とを備えた入賞装置を備えている。そして、前記特別領域をパチンコ球が通過することで、遊技者に有利な特別遊技が発生するようになっている。すなわち、この種のパチンコ機は、前記左右の球入口を介して入賞空間内に流入したパチンコ球に多彩な動きをさせ、該遊技球が最終的に前記特別領域を通過するか否かを予測困難にすることにより、前記特別遊技への期待感を持続させている。更に、このような遊技者の特別遊技発生に対する期待感を高めるため、前記入賞空間に流入したパチンコ球を一時的に受止めて前記特別領域を通過し易い経路、または該特別領域を通過し難い経路に案内する球受け部材を備えたパチンコ機も提案されている(例えば、特許文献１参照)。
【０００３】
前記特許文献１に記載のパチンコ機の入賞装置では、内側に前記特別領域に連通する落下口を形成した半円筒状の棚板の外周側に、パチンコ球を一時的に受止めて滞留させる複数の回転振分体(球受け部材)を正逆方向に回転可能に設けてある。そして、前記各回転振分体に滞留させたパチンコ球が、該回転振分体の回転に伴い前記棚板の内側に案内された場合には、前記落下口を介して前記特別領域を通過し易くなっている。すなわち、前記回転振分体が右回りに回転している場合には、左側の球入口から入賞したパチンコ球は回転振分体の回転により棚板の内側に案内され易いのに対し、右側の球入口から入賞したパチンコ球は回転振分体の回転により棚板の内側に案内され難くなっている。反対に、前記回転振分体が左回りに回転している場合には、左側の球入口から入賞したパチンコ球は回転振分体の回転により棚板の内側に案内され難いのに対し、右側の球入口から入賞したパチンコ球は回転振分体の回転により棚板の内側に案内され易くなっている。このように、前記回転振分体を正逆回転することで、該回転振分体に滞留させたパチンコ球の前記特別領域への通過し易さを変化させることで、特別遊技発生に対する期待感を高めている。
【特許文献１】特開２００３−２６０２０９号公報
【発明の開示】
【発明が解決しようとする課題】
【０００４】
ところで、前述したように、この種のパチンコ機は前記入賞空間内に入賞したパチンコ球が多彩な動きをすることで、該パチンコ球が前記特別領域を通過することへの期待感を抱かせて遊技を面白くするものである。しかしながら、特許文献１に記載された入賞装置では、前記入賞空間内に入賞したパチンコ球の動きは、前記回転振分体の正逆回転により決定され、該パチンコ球の動きが乏しくなる欠点がある。このため、前記回転振分体の回転方向により前記球入口を介して流入したパチンコ球の動きを容易に推測できるから、該パチンコ球の動きが単調になって遊技に飽きがくる問題を内在している。また、前述のように、前記回転振分体の回転方向により特別領域を通過するか否かを予測し得るため、前記入賞空間に入賞したパチンコ球の動きに対しては遊技者の特別遊技発生に対する期待感が損なわれる問題もある。
そこで、本発明は、入賞空間に流入した遊技球の動作を予測困難にして、遊技に対する興趣を持続させ得る遊技機の入賞装置を提供することを目的とする。
【課題を解決するための手段】
【０００５】
前記課題を克服し、所期の目的を好適に達成するため、本発明に係る遊技機の入賞装置は、
遊技球(B)が通過可能な球入口(18)と、前記球入口(18)を介して遊技球(B)が流入する入賞空間(23)と、前記入賞空間(23)の底面をなし、所要の傾斜角度で形成される傾斜面(24)と、前記傾斜面(24)の下流側に形成される特別領域(25)および一般領域(26)とを備え、前記入賞空間(23)に流入した遊技球(B)が前記特別領域(25)を通過することで、遊技者に有利な特別遊技を発生させるよう構成された遊技機の入賞装置において、
前記入賞空間(23)内でかつ前記傾斜面(24)の上方に配置され、該入賞空間(23)に流入した遊技球(B)を一時的に受止めて転動させ得る転動面(34)を有する球受け部材(31)と、
前記転動面(34)に形成されて該転動面(34)を転動する遊技球(B)が落下可能で、落下する遊技球(B)を前記特別領域(25)へ案内する第１領域(36)と、
前記転動面(34)に形成され、該転動面(34)を転動する遊技球(B)が落下可能な前記第１領域(36)とは異なる第２領域(37)と、
所要の駆動手段(41)に連結され、異なる方向に延在する複数の支軸(44,46)を介して前記球受け部材(31)を揺動自在に支持する伝達手段(40)とを備え、
前記伝達手段(40)を駆動手段(41)により駆動することで前記転動面(34)が多方向に亘り傾斜し、該転動面(34)を転動する遊技球(B)がその傾斜方向に応じて前記第１領域(36)または第２領域(37)から落下するよう構成したことを特徴とする。
【０００６】
また、前記球受け部材(31)における前記傾斜面(24)の下流側に位置する端部に、前記転動面(34)からの遊技球(B)の落下を規制する規制部(35)を形成し、該転動面(34)上の遊技球(B)が、前記特別領域(25)または一般領域(26)に直接落下するのを防止する。
【０００７】
更に、前記第１領域(36)を前記転動面(34)の左右方向における略中央位置に形成すると共に、該転動面(34)に第１領域(36)に向けて案内する球案内部(34a)を形成する。
【０００８】
更にまた、前記転動面(34)から落下した遊技球(B)が当接し得る経路変更部材(52)を、前後移動可能に設ける。
【発明の効果】
【０００９】
本発明の請求項１に係る遊技機の入賞装置によれば、球受け部材の転動面を多方向に亘って傾斜するよう構成したから、該転動面に到来した遊技球は転動面の傾斜方向に合わせて様々な方向に転動する。すなわち、前記転動面を遊技球が複雑に転動するから、該遊技球の動きを予測困難にして遊技の興趣を向上し得る。また、前記転動面を転動する遊技球は、第１領域から落下した場合には特別遊技を発生させる特別領域へ向けて案内される。すなわち、前記転動面を遊技球が複雑に転動することで、遊技球が第１領域から落下するか否かを予測することは困難となり、遊技に対する興趣が持続されると共に、入賞空間に流入したパチンコ球の動きに対して遊技者の興味を強く惹き付けることができる。
【００１０】
そして、請求項２に係る遊技機の入賞装置によれば、前記球受け部材における前記特別領域および一般領域の形成側に対応する傾斜面の下流側の端部に規制部を形成したことで、転動面上にある遊技球が特別領域または一般領域に直接落下するのは防止される。すなわち、転動面から落下した後も遊技球の動きを楽しむことが可能となる。
【００１１】
また、請求項３に係る遊技機の入賞装置によれば、前記第１領域を前記転動面の左右方向における略中央位置に形成すると共に、該転動面に第１領域に向けて案内する球案内部を形成したことで、該転動面に到来した遊技球が第１領域を通過する割合の偏りを防止できる。
【００１２】
更に、請求項４に係る遊技機の入賞装置によれば、前記転動面から落下した遊技球が当接する経路変更部材を設けることで、該転動面から落下した遊技球が決まった経路を通過するのは防止されると共に、最終的に遊技球が特別領域または一般領域の何れかを通過するまでの動きを予測し得ないから、最後まで特別遊技が発生することへの期待感を持続し得る。そして、前記経路変更部材が前後方向に往復移動することで、該流路変更部材に接触した遊技球の転動方向がより予測し難くなり、遊技の興趣がより一層向上する。
【発明を実施するための最良の形態】
【００１３】
次に、本発明に係る遊技機の入賞装置につき、好適な実施例を挙げて、添付図面を参照しながら以下詳細に説明する。なお実施例では、遊技機としてパチンコ球を遊技媒体として使用する一般的なパチンコ機を例にして説明する。
【実施例】
【００１４】
先ず、図１に略示されるパチンコ機の遊技盤１０について要約説明する。前記遊技盤１０には、略円形状のレール１０ａにより遊技領域１０ｂが画成されると共に、該遊技領域１０ｂの略中央部に実施例に係る入賞装置１５が配置されている。また、前記遊技盤１０における入賞装置１５より下方位置には、左右方向に所要距離離間する３箇所に入賞装置１５に対する所定の始動条件を成立させる第１始動入賞具１２ａ,１２ａおよび第２始動入賞具１２ｂが夫々配設されている。そして、これら第１および第２始動入賞具１２ａ,１２ａ,１２ｂに設けた図示しないスイッチがパチンコ球Ｂ(図３または図４参照)の通過を検出することで、入賞装置１５の開閉部材１９,１９(後述)を開閉動作させるようになっている。ここで、実施例では、左右に位置する第１始動入賞具１２ａ,１２ａに設けたスイッチがパチンコ球Ｂの通過を検出した場合には開閉部材１９,１９を１回開閉動作させ、中央に位置する第２始動入賞具１２ｂに設けたスイッチがパチンコ球Ｂの通過を検出した場合には開閉部材１９,１９を２回開閉動作させるよう設定される。なお、遊技領域１０ｂの適宜位置には、風車とも称されてパチンコ球Ｂの流下方向を変更する案内車１１,１１,１１,１１や、遊技状態に応じて照射パターンが変更制御される電飾装置１３,１３等を配設してある。
【００１５】
前記入賞装置１５は、図２〜図４に示すように、本体１６の外周部に設けたフランジ状の基枠体１７を介して遊技盤１０に装着セットするようになっている。この本体１６は、パチンコ球Ｂの入賞経路を形成すると共に各種部材を装着するために、その全体が複合組立式の筺型化されたものであって、適宜デザイン形状に形成される。前記本体１６の上部左右位置には、パチンコ球Ｂが通過可能な入賞口(球入口)１８,１８が形成されると共に、該入賞口１８,１８を開閉する左右一組の開閉部材１９,１９が配設されている。そして、前記本体１６の内部における前記開閉部材１９,１９の下方位置には、前方に開口すると共に所要の奥行きを有する入賞空間２３が画成され、前記入賞口１８,１８を通過したパチンコ球Ｂが該入賞空間２３に流入するよう構成してある。そして、前記入賞空間２３に流入したパチンコ球Ｂの転動方向や落下方向を、該入賞空間２３内に配設される球受け部材３１や、経路切替部材５０,５０、経路変更部材５２,５２(何れも後述)により変化させて所要の遊技演出を行なうようになっている。
【００１６】
また、前記本体１６の前側下方位置には、前記入賞空間２３に流入したパチンコ球Ｂを前記遊技盤１０の裏側に排出する特別領域２５および一般領域２６,２６が夫々設けられている。そして、前記第１または第２始動入賞具１２ａ,１２ａ,１２ｂのスイッチによるパチンコ球Ｂの通過検出に基づく前記開閉部材１９,１９の開閉動作時に、前記入賞装置１５に入賞したパチンコ球Ｂが前記特別領域２５を通過した場合には、遊技者に有利な特別遊技が発生するよう構成されている。なお、前記特別遊技は、前記入賞装置１５に１０個のパチンコ球Ｂが入賞するか、前記開閉部材１９,１９の１８回の開閉または特別領域２５へのパチンコ球Ｂの通過の何れかが満たされると１回のラウンドが終了し、各ラウンド中に特別領域２５をパチンコ球Ｂが通過した場合に次のラウンドに移行するようになっており、最大で１５ラウンドまで継続するよう設定してある。
【００１７】
前記開閉部材１９,１９は、左右対称な構造、形状に成形された内外方向への傾動形態とされて、前記入賞空間２３の外側に配設した第１ソレノイド２０ａにより開閉動作するようになっている。すなわち、開閉部材１９,１９は、図２において２点鎖線で示す起立対向位置が通常の閉鎖状態とされ、図２の実線で示す上端が外向きに傾倒した位置が開放状態とされて、第１ソレノイド２０ａの駆動により両開閉部材１９,１９を閉鎖状態と開放状態とに同時に傾動変化させて前記入賞口１８,１８を開閉している。従って、各開閉部材１９,１９の夫々が開放状態にある場合に、前記遊技領域１０ｂを流下するパチンコ球Ｂが前記入賞口１８,１８を介して入賞空間２３へ流入し得るようになる。
【００１８】
図２に示すように、前記本体１６における前記両開閉部材１９,１９の間には、略中央位置が上方に突出する球受け台２１が形成されると共に、該球受け台２１における左右両端部には、前記入賞空間２３に連通する案内出口２２,２２が開設されている(図３および図４に一方の案内出口２２のみ図示)。すなわち、前記開閉部材１９,１９が開放状態に傾動した際に、前記入賞口１８,１８に通入したパチンコ球Ｂは、直接または球受け台２１を転動した後に、前記案内出口２２,２２の何れか一方から前記入賞空間２３に流入する。なお、各案内出口２２,２２には、パチンコ球Ｂの通過を検出する球検出センサ２２ａ(図３または図４参照)が配設されており、該球検出センサ２２ａがパチンコ球Ｂを検出することで、前記入賞装置１５に入賞したパチンコ球Ｂの個数がカウントされると共に、所定数(例えば１０個)のパチンコ球Ｂが賞球として払い出されるようになっている。
【００１９】
前記入賞空間２３は、図２〜図４に示すように、前方に開口する略矩形箱状に形成されて入賞装置１５の大部分を占有している。ここで、前記入賞空間２３の底面をなす傾斜面２４は、前方へ向けて所要角度で下方傾斜するよう形成され、該傾斜面２４に到来したパチンコ球Ｂを前方に転動させるようになっている。なお、前記特別領域２５および一般領域２６,２６の夫々は、前記傾斜面２４の前側(すなわち傾斜面２４の下流側)に上方に向けて開口するよう横並び状に設けられており、該傾斜面２４を転動するパチンコ球Ｂが最終的に特別領域２５または一般領域２６,２６を通過して装置外部(遊技盤１０の裏側)に排出されるようになっている。また、前記傾斜面２４の奥側には、左右方向の略中央位置に、パチンコ球Ｂの略直径寸法だけ離間するよう一対の球受入片２７,２７が形成されると共に、該球受入片２７,２７の間から前記特別領域２５に向けて前方に延在する球誘導路２４ａを凹設してある(図２参照)。すなわち、前記球受入片２７,２７の間にパチンコ球Ｂが到来すると、該球誘導路２４ａに沿ってパチンコ球Ｂが転動して略確実に特別領域２５を通過するようになっている。なお、前記特別領域２５には、図示しないスイッチが設けられており、該スイッチによりパチンコ球Ｂの通過を検出するようになっている。
【００２０】
図３または図４に示すように、前記入賞空間２３内における前記案内出口２２,２２の下方であって左右両側面２３ａ,２３ａには、前後方向に延在する球通路２８,２８が入賞空間２３の奥行き方向の略中間位置まで形成されている(図３および図４において一方の球通路２８のみ図示)。前記球通路２８,２８は、後方に向けて下方傾斜するよう形成されており、対応する案内出口２２,２２を通過したパチンコ球Ｂを球通路２８,２８に沿って入賞空間２３の奥側に案内するようになっている。また、前記入賞空間２３の左右両側面２３ａ,２３ａには、前記球通路２８,２８の後端側における下方位置に緩衝片２９,２９が形成されて、該球通路２８,２８の後端部から落下するパチンコ球Ｂを該緩衝片２９,２９に当接させてから傾斜面２４の奥側に落下するよう構成してある。このように、前記緩衝片２９,２９にパチンコ球Ｂを一旦当接させることで、該パチンコ球Ｂが傾斜面２４に到達した際の衝撃を和らげている。なお、前記各球通路２８の後端部における入賞空間２３の内側には、パチンコ球Ｂが通過可能な切欠部２８ａを形成してある。
【００２１】
また、図３または図４に示すように、前記入賞空間２３内における前記球通路２８,２８の下流端側(後端側)には、該球通路２８,２８を転動するパチンコ球Ｂの転動方向を切替える経路切替部材５０,５０が設けられている。前記各経路切替部材５０は、前記入賞装置１５の側面２３ａから入賞装置１５の内側に向かうにつれて後方に傾斜する板状に形成され、該側面２３ａの外側に配置した第２ソレノイド２０ｂの駆動により、前記球通路２８,２８の後端部に臨む(近接する)第１位置(図３参照)と、該球通路２８,２８の後端部から離間する第２位置(図４参照)に変位可能に構成される。そして、前記経路切替部材５０が第１位置に変位することで、前記球通路２８,２８を転動するパチンコ球Ｂは前記切欠部２８ａを介して入賞空間２３の内側に落下し、該経路切替部材５０が第２位置に変位することで、球通路２８,２８の後端部から前記緩衝片２９,２９に向けてパチンコ球Ｂが落下する。なお、前記切欠部２８ａを介して落下したパチンコ球Ｂは、入賞空間２３の略中央位置に配設される前記球受け部材３１の転動面３４(後述)に案内されるようになっている。
【００２２】
図２に示すように、前記入賞空間２３内に配設される前記球受け部材３１は、前記傾斜面２４の上方に、該傾斜面２４から所要距離離間して配置されて、該入賞空間２３の外側(後面２３ｂの裏側)に配設した伝達手段４０(図５(b)または図６参照)に支持されている。なお、前記球受け部材３１に関しては、図５、図６(a)および図７(a)に示すように、球受け部材３１の転動面３４が略水平な状態を基準位置として説明する。前記球受け部材３１は、前記入賞空間２３の後面２３ｂに対して略平行な第１装飾部３２と、該第１装飾部３２の下端部から前方に向けて延出する第２装飾部３３とから構成され、該第１装飾部３２を前記伝達手段４０で支持することにより、第２装飾部３３が傾斜面２４から所要距離だけ離間するようになっている。また、前記第２装飾部３３には、その上面にパチンコ球Ｂが転動可能な転動面３４が形成されて、前記球通路２８の切欠部２８ａを介して落下したパチンコ球Ｂを一時的に受止めて転動面３４上で転動させるよう構成される。なお、前記第２装飾部３３の前端部(すなわち、球受け部材３１における傾斜面２４の下流側に位置する端部)に、転動面３４を転動するパチンコ球Ｂが落下するのを防止する規制部３５が形成されており、該転動面３４を転動するパチンコ球Ｂが、前記傾斜面２４の前方(下流側)に位置する前記特別領域２５および一般領域２６,２６に直接落下しないようになっている。
【００２３】
また、図３〜図５(a)に示すように、前記第１装飾部３２における転動面３４との連接部位には、左右方向の略中央位置にパチンコ球Ｂが通過可能な開口部３２ａが開設され、前記転動面３４を転動するパチンコ球Ｂが落下可能な第１領域３６を形成している。すなわち、前記転動面３４を転動するパチンコ球Ｂは、該転動面３４の左右方向の略中央位置に設けられた前記第１領域３６、または転動面３４における第１装飾部３２と規制部３５との間の領域３７,３７(以下、第２領域という)から傾斜面２４に向けて落下するようになっている。ここで、前記第１領域３６から落下したパチンコ球Ｂは、前記傾斜面２４の奥側に形成した前記一対の球受入片２７,２７の間に落下するよう設定されており、該第１領域３６から落下したパチンコ球Ｂを前記球誘導路２４ａによって特別領域２５に案内するよう構成してある。また、前記転動面３４における左右方向の略中央位置には、第１領域３６に向けて下方傾斜する球案内部３４ａが凹設されており、該球案内部３４ａに到来したパチンコ球Ｂが略確実に第１領域３６および球誘導路２４ａを介して前記特別領域２５を通過するようになっている。
【００２４】
前記伝達手段４０は、図５(b)に示すように、図示しないケースに組付けられた複数の歯車４２ａやカム４２ｂからなる機構部４２と、該ケースに揺動自在に枢支され、機構部４２に接続する揺動板４３と、該揺動板４３に枢支され、機構部４２に接続する支持部材４５とからなり、該支持部材４５に前記球受け部材３１(第１装飾部３２)を固定するよう構成されている。なお、前記機構部４２の歯車４２ａの１つに、モータ(駆動手段)４１を連結してある。ここで、前記揺動板４３は、左右方向に延在する第１支軸４４に枢支されて、前記モータ４１の駆動により前記機構部４２が作動することで、略垂直方向に延在する直立位置(図６(a),(c)参照)と、該直立位置から上端部が後方に退避した傾斜位置(図６(b),(d)参照)との間で、該第１支軸４４を中心に揺動するようになっている。すなわち、実施例の入賞装置１５では、前記揺動板４３が直立位置にある場合に、前記球受け部材３１が前記基準位置に変位され(図６(a),(c)参照)、該揺動板４３が傾斜位置に変位することで、該転動面３４が前方から後方に向けて下方傾斜するようになっている(図６(b),(d)参照)。
【００２５】
また、前記支持部材４５は、図５または図６に示すように、前記揺動板４３の上部位置に前方に突出するよう立設した第２支軸４６に揺動自在に枢支されると共に、該支持部材４５に突設した固定部４５ａ,４５ａ,４５ａの先端部に前記球受け部材３１(第１装飾部３２)が固定されている。すなわち、前記モータ４１の駆動により前記機構部４２を作動した際に、前記支持部材４５が前記第２支軸４６を中心に揺動し、該支持部材４５と一体的に球受け部材３１も揺動する。ここで、前記モータ４１を駆動して機構部４２を作動した際に、前記球受け部材３１は、前記基準位置から転動面３４が右方向に下方傾斜し(図７(b)参照)、その後基準位置に復帰する動作と、基準位置から転動面３４が左方向に下方傾斜し(図７(d)参照)、その後基準位置に復帰する動作とを交互に反復するようになっている。
【００２６】
すなわち、実施例に係る入賞装置１５の球受け部材３１は、前記モータ４１の駆動に伴い前記揺動板４３が揺動して前記転動面３４が後方に下方傾斜する動作と、前記支持部材４５が揺動して転動面３４が右または左方向に下方傾斜する動作とを合成した動作を行なうよう構成されている。具体的には、前記球受け部材３１は、図５、図６(a)および図７(a)に示す前記転動面３４が略水平な基準位置から前記モータ４１の駆動により前記転動面３４が後方に下方傾斜すると共に右方向に下方傾斜し(図６(b)および図７(b)参照)、その後基準位置に復帰する(図６(c)および図７(c)参照)。そして、更にモータ４１を駆動すると、前記転動面３４が後方に下方傾斜すると共に左方向に下方傾斜し(図６(d)および図７(d)参照)、その後基準位置に復帰する(図６(a)および図７(a)参照)。このように、前記モータ４１の駆動により前記揺動板４３および支持部材４５を揺動させて前記転動面３４が多方向に亘り傾斜することで、パチンコ球Ｂが転動面３４の傾斜方向に応じて転動して、最終的に前記第１領域３６または第２領域３７,３７から落下する。
【００２７】
また、図２〜図４に示すように、前記入賞空間２３における前記転動面３４の第２領域３７,３７の下方位置であって左右両側面２３ａ,２３ａには、該第２領域３７,３７から落下するパチンコ球Ｂが当接可能な経路変更部材５２,５２を配設してある。前記各経路変更部材５２は、前後方向の略中央位置から前方に向けて下方傾斜する第１面５３と、該前後方向の略中央位置から後方に向けて下方傾斜する第２面５４とを有する断面山状に形成され、前記第２ソレノイド２０ｂにより前後方向に水平移動し得るよう構成される。
【００２８】
そして、前記第２ソレノイド２０ｂを駆動して前記経路変更部材５２を後退させた状態では、前記転動面３４の対応する第２領域３７から落下したパチンコ球Ｂが前記第１面５３に当接し、経路変更部材５２を前進させた状態では、該転動面３４の対応する第２領域３７から落下したパチンコ球Ｂが第２面５４に当接するよう設定される。なお、前記経路変更部材５２,５２における第２面５４には、前記入賞空間２３の内側に位置する端縁に沿って上方に突出する突条部５４ａが形成されており、該第２面５４に当接したパチンコ球Ｂを入賞空間２３の奥側に案内し得るようになっている。
【００２９】
〔実施例の作用〕
次に、実施例に係る遊技機の入賞装置の作用につき説明する。前記遊技盤１０の遊技領域１０ｂを流下するパチンコ球Ｂが、前記第１始動入賞具１２ａ,１２ａまたは第２始動入賞具１２ｂを通過すると、通過した入賞具１２ａ,１２ｂに応じて前記開閉部材１９,１９が１回または２回開閉する。このとき、前記入賞装置１５に入賞したパチンコ球Ｂは、入賞口１８,１８の下方に設けた前記案内出口２２,２２を介して入賞空間２３に流入すると共に、各案内出口２２,２２に対応して設けた球通路２８,２８を介して入賞空間２３の奥側に案内される。
【００３０】
ここで、前記球通路２８の後端部までパチンコ球Ｂが転動した際に、前記経路切替部材５０が前記第１位置に変位している場合には、パチンコ球Ｂは球通路２８の切欠部２８ａから落下して、前記球受け部材３１の転動面３４に一時的に受止められる。前記球受け部材３１は、モータ４１の駆動により前記転動面３４が多方向に亘って傾斜するよう動作するから、該転動面３４に受止められたパチンコ球Ｂは転動面３４の傾斜方向に合わせて様々な方向に転動する。このように、前記転動面３４を多方向に亘って傾斜させることで、該転動面３４を転動するパチンコ球Ｂの動きが予測困難になり、遊技の面白みを向上し得る。
【００３１】
また、前記転動面３４に、パチンコ球Ｂが落下可能な第１領域３６と第２領域３７とを設けると共に、前記入賞空間２３における傾斜面２４の奥側に球受入片２７,２７を形成して、前記第１領域３６から両球受入片２７,２７の間にパチンコ球Ｂが落下するよう構成してある。更に、前記傾斜面２４に前記球受入片２７,２７の間から前記特別領域２５まで延在する球誘導路２４ａを凹設して、前記第１領域３６から球受入片２７,２７の間に落下したパチンコ球Ｂを略確実に特別領域２５へ通過させるようになっている。このため、遊技者は、前記転動面３４にパチンコ球Ｂが一時的に受止められると、前記第１領域３６から落下することを期待する。ここで、前述のように、前記転動面３４は多方向に亘って傾斜するから、該転動面３４上でパチンコ球Ｂが複雑に転動し、パチンコ球Ｂが第１領域３６と第２領域３７の何れから落下するのを予測することは困難となる。従って、前記球受け部材３１の転動面３４にパチンコ球Ｂが受止められた後も、パチンコ球Ｂの動きに対して遊技者の興味を強く惹き付けることができ、遊技に対する興趣を持続し得る。また、実施例では、前記転動面３４に、前記第１領域３６に向けてパチンコ球Ｂを案内する球案内部３４ａを形成するようにしたから、該転動面３４に到来したパチンコ球Ｂが第１領域３６を通過することへの期待感が向上し、転動面３４上でのパチンコ球Ｂの動きに対し、遊技者の興味をより一層惹き付けることができる。
【００３２】
ここで、前記球通路２８,２８は、入賞空間２３の左右側面２３ａ,２３ａに沿って形成してあるから、前記経路切替部材５０,５０が前記第１位置に変位している場合、パチンコ球Ｂは、該球通路２８,２８から転動面３４の右側部側または左側部側に落下する。実施例では、前記転動面３４の後端部側における左右方向の略中央位置に前記第１領域３６を形成してあるから、前記転動面３４にパチンコ球Ｂが落下する位置によってパチンコ球Ｂが第１領域３６を通過する割合に偏りが生ずることはない。例えば、前記第１領域３６を転動面３４の後端部側における左側に変位して形成した場合には、該転動面３４の左側部側に落下したパチンコ球Ｂは、転動面３４の右側部側に落下したパチンコ球Ｂに較べて第１領域３６を通過し易くなるが、実施例に係る入賞装置１５の球受け部材３１ではこのような偏りが生ずるのを防止している。また、前記第１領域３６を転動面の後端部側に形成したことで、該第１領域３６から落下したパチンコ球Ｂが前記傾斜面２４を転動する距離が長くでき、パチンコ球Ｂの動きをより長時間に亘って楽しむことが可能となる。このとき、前記球誘導路２４ａに沿ってパチンコ球Ｂが案内されるから、パチンコ球Ｂの転動距離を長くしても遊技者の期待感を損なうことはない。
【００３３】
また、前記転動面３４に一時的に受止めたパチンコ球Ｂが、前記第２領域３７,３７から落下すると、前記経路変更部材５２に当接する。このように、前記第２領域３７,３７から落下したパチンコ球Ｂを経路変更部材５２に当接させることで、該第２領域３７,３７から落下したパチンコ球Ｂが決まった経路を通るのを防止し得るから、落下したパチンコ球Ｂの動きの面白みを向上することができる。更に、パチンコ球Ｂが経路変更部材５２に当接することで、最終的に特別領域２５または一般領域２６,２６の何れかを通過するまでのパチンコ球Ｂの動きを予測し得ないから、最後まで特別遊技が発生する(特別領域２５に通過する)ことへの期待感を持続し得る。
【００３４】
更に、前記経路変更部材５２を前後方向に水平移動し得るよう構成すると共に、該経路変更部材５２が後退した状態では前後方向の略中央位置から前方に向けて下方傾斜する第１面５３にパチンコ球Ｂが当接し、経路変更部材５２を前進させた状態では前後方向の略中央位置から後方に向けて下方傾斜する第２面５４にパチンコ球Ｂが当接するようになっている。このため、前記第１面５３に当接したパチンコ球Ｂは入賞空間２３の前側に弾かれて、前記傾斜面２４をパチンコ球Ｂが転動する距離は短くなる一方、前記第２面５４に当接したパチンコ球Ｂは入賞空間２３の奥側に弾かれて、傾斜面２４をパチンコ球Ｂが転動する距離は長くなる。すなわち、前記第２面５４にパチンコ球Ｂが当接した場合には、パチンコ球Ｂが傾斜面２４を転動するに際し、前記球誘導路２４ａに沿って特別領域２５に案内される等により特別領域２５を通過するチャンスが増大するため、遊技者の興趣が増大される。このように、前記経路変更部材５２を前後方向に移動させ、該経路変更部材５２に当接したパチンコ球Ｂが弾かれる方向に変化をもたせることで、該経路変更部材５２に接触したパチンコ球Ｂの転動方向がより予測し難くなり、遊技の興趣がより一層向上する。
【００３５】
なお、実施例の入賞装置１５では、前記傾斜面２４の下流側に前記特別領域２５および一般領域２６,２６を形成すると共に、前記球受け部材３１(第２装飾部３３)における前端部(傾斜面２４の下流側に位置する端部)に、前記転動面３４を転動するパチンコ球Ｂの落下を規制する規制部３５を形成してある。すなわち、前記転動面３４上を転動するパチンコ球Ｂが球受け部材３１の前方に落下するのを規制し得るから、前記特別領域２５または一般領域２６,２６にパチンコ球Ｂが直接落下するのを防止して、転動面３４から落下したパチンコ球Ｂを傾斜面２４上に到来させるようにし、該パチンコ球Ｂの動きを楽しむことが可能となる。
【００３６】
一方、前記入賞空間２３に流入したパチンコ球Ｂが前記球通路２８の後端部まで転動した際に、前記経路切替部材５０が前記第２位置に変位している場合には、該パチンコ球Ｂは球通路２８の後端部から落下して、前記緩衝片２９に当接してから前記傾斜面２４の奥側に落下する。このように、前記球受け部材３１の転動面３４に受止められないパチンコ球Ｂを、前記傾斜面２４の奥側に落下させ、傾斜面２４を転動する距離を長くすることで、前述同様に、パチンコ球Ｂが特別領域２５を通過するチャンスを増大でき、遊技者の興趣を増大することが可能である。すなわち、前記入賞空間２３に流入したパチンコ球Ｂが前記球受け部材３１に到来するか否かを決める経路切替部材５０を設けたことで、遊技者に緊張感を与えることができると共に、遊技の幅が広がり、遊技の興趣を増大し得る利点がある。
【００３７】
〔変更例〕
なお、本発明に係る遊技機の入賞装置としては、実施例のものに限られず種々の変更が可能である。例えば、入賞空間の底面をなす傾斜面を前方へ向けて下方傾斜するようにしたが、これに限らず、後方や左右方向あるいは中央に向けて傾斜させるようにしてもよい。この場合にも、傾斜面の下流側に特別領域と一般領域とを設けるようにすれば、該傾斜面を転動した遊技球を特別領域または一般領域後に通過させることができる。また、前記入賞空間内に配設される球受け部材の形状・大きさは、実施例のものに限定されるものではなく、該入賞空間に流入した遊技球を一時的に受止めて転動させる転動面を備えたものであれば、任意に決定することが可能である。
【００３８】
また、前記転動面における第１領域および第２領域の形成箇所および形成数に関しても任意に決定することができ、該第１領域および第２領域から落下した遊技球が傾斜面上に到来するように形成すればよい。なお、実施例のように、入賞空間に流入した遊技球が左右方向から転動面上に到来するよう構成した場合には、前記第１領域は転動面の左右方向における略中央位置に設けることが好ましい。第１領域を転動面の左右方向における略中央位置に形成することで、左右の何れの方向から前記転動面に遊技球が到来しても、第１領域を通過する割合の偏りを防止することができ、バランスのとれた遊技を行なうことができる。
【００３９】
また、実施例では、伝達手段として左右方向に延在する第１支軸を介して揺動板を設けると共に、前後方向に延在する第２支軸を介して支持部材を設け、駆動手段の駆動により、該揺動板と支持部材とを揺動することで、前記転動面に後方に下方傾斜する動作と、左または右方向に下方傾斜する動作とを合成した動作を行なわせて転動面が多方向に亘り傾斜するようにしたが、その他の構成も採用し得る。例えば、伝達手段として上下方向に延在する第３支軸を介して揺動自在な第２の揺動板を更に設けるよう構成してもよく、前記転動面を多方向に亘り傾斜させることができれば、実施例とは異なる構成の伝達手段であっても採用し得る。すなわち、前記球受け部材を、異なる方向に延在する複数の支軸を介して揺動自在に支持するよう構成することで、実施例と同様の作用効果を得ることができる。
【００４０】
〔付記〕
なお、本発明に係る遊技機の入賞装置に関しては、以下に示す具体的構成に限定することが可能である。
請求項１〜４の何れかに記載の遊技機の入賞装置に関し、前記球入口(18)を通過した遊技球(B)を前記球受け部材(31)の転動面(34)に案内する第１位置、および該遊技球(B)を球受け部材(31)に案内しない第２位置に変位可能な経路切替部材(50)を設ける。
このように、前記球入口を介して入賞空間に流入した遊技球が前記球受け部材に到来するか否かを決める経路切替部材を設けることで、遊技者に緊張感を与えることができると共に、遊技の幅が広がり、遊技の興趣を増大し得る利点がある。
【図面の簡単な説明】
【００４１】
【図１】本発明の実施例に係るパチンコ機の遊技盤を示す正面図である。
【図２】実施例に係る入賞装置を示す正面図である。
【図３】実施例に係る入賞装置の一部を破断して示し、経路切替部材が第１位置に変位して経路変更部材が後退した状態を示す斜視図である。
【図４】実施例に係る入賞装置の一部を破断して示し、経路切替部材が第２位置に変位して経路変更部材が前進した状態を示す斜視図である。
【図５】実施例に係る球受け部材が基準位置にある状態を示し、(a)は球受け部材の正面図であり、(b)は球受け部材の側面図である。
【図６】実施例に係る球受け部材の動作を側面から視た状態を示す設明図であって、(a)および(c)は球受け部材が基準位置にある状態を示し、(b)および(d)は球受け部材の転動面が後方に向けて下方傾斜した状態を示す。
【図７】実施例に係る球受け部材の動作を正面から視た状態を示す設明図であって、(a)および(c)は球受け部材が基準位置にある状態を示し、(b)は球受け部材の転動面が右方向に向けて下方傾斜した状態を示し、(d)は球受け部材の転動面が左方向に向けて下方傾斜した状態を示す。
【符号の説明】
【００４２】
１８  入賞口(球入口)
２３  入賞空間
２４  傾斜面
２５  特別領域
２６  一般領域
３１  球受け部材
３４  転動面
３４ａ  球案内部
３５  規制部
３６  第１領域
３７  第２領域
４０  伝達手段
４１  モータ(駆動手段)
４４  第１支軸(支軸)
４６  第２支軸(支軸)
５２  経路変更部材
Ｂ  パチンコ球(遊技球)
【図１】
2006102056.tif 000003
【図２】
2006102056.tif 000004
【図３】
2006102056.tif 000005
【図４】
2006102056.tif 000006
【図５】
2006102056.tif 000007
【図６】
2006102056.tif 000008
【図７】
2006102056.tif 000009